(57)【特許請求の範囲】
【請求項１】
１回のシャッタレリーズによって走行板がチャージ位置から走行完了位置に移動する間に、前記走行板の移動に連係してシャッタ円板駆動系を介してシャッタ円板を回転させ、前記シャッタ円板に設けたスリットによって複数のシャッタ開口を順次に横切って時系列的な露光を行うとともに、フイルム巻き上げ操作時に前記走行板がチャージ位置に戻ることに連動して前記シャッタ円板を元の位置に逆転して戻す連写カメラにおいて、
前記ガンギ車とこれに係脱自在に噛合するアンクルとで構成され、シャッタ円板の回転を緩速化するガバナ機構と、
前記シャッタ円板駆動系のギヤ又はシャッタ円板に噛合するギヤと前記ガバナ機構との間に直結して設けられており、前記スリットがシャッタ開口を通過した後にシャッタ円板の回転を前記ガバナ機構により緩速化しスリットが次のシャッタ開口に対して一定の角度位置まで移動してきたときにシャッタ円板の回転を高速化するために、前記ギヤが所定の回転域を通過する期間だけこのギヤに前記ガバナ機構を連結する間欠接続手段と、
シャッタレリーズに応答して走行板がチャージ位置から走行完了位置に移動するときに前記シャッタ開口の全部を露呈し、フイルム巻き上げ操作に連動して前記走行板が走行完了位置からチャージ位置に戻ることに応答して前記シャッタ開口の全部を遮蔽する遮蔽位置に移動する全遮蔽板と、
前記全遮蔽板が遮蔽位置に移動することに連動して前記アンクルをガンギ車との噛合位置から退避させる切換え手段と、を備えたことを特徴とする連写カメラ。
【発明の詳細な説明】
【０００１】
【発明の属する技術分野】
本発明は、１回のレリーズ操作により露光時間よりも長い露光間隔で順次に複数の露光を行う連写カメラに関するものである。
【０００２】
【従来の技術】
従来、安価なレンズ付きフイルムユニットに連写機能をもたせたものが、特開平７−１１０５０７号公報に提案されている。このレンズ付きフイルムユニットのシャッタ装置には、フイルム給送方向に隣接するシャッタ開口から等距離の位置に各々の回転中心が決められた４枚のシャッタ円板が設けられている。これらのシャッタ円板には回転中心から異なる位置にそれぞれ１個のスリットが設けられている。そして、バネの付勢により走行板を直線移動させてシャッタ円板を回転させ、前記スリットが順次にシャッタ開口を横切って連写撮影が行えるようになっている。
【０００３】
ところで、スポーツをしている被写体の動きを止めて撮影するためには、シャッタ円板のスリットがシャッタ開口を横切る露光時間を遅くとも１／１２５ｓｅｃ  以上に設定しておく必要がある。またシャッタ円板を回転させて複数回の露光を行う場合、シャッタ円板の回転速度を速くすると、短時間のうちに連写が終了してしまい、運動の初期から終期までを撮影することができなくなり、逆にシャッタ円板の回転速度を遅くすると毎回の露光時にシャッタ秒時が長くなり、瞬間的な撮影に不向きであるばかりか露光オーバーになる恐れがある。このような実情から前述したシャッタ機構には、露光時間を短く、そして露光間隔は露光時間よりも長くなるように間欠的にシャッタ円板のスピードを変える速度切換え機構が用いられている。
【０００４】
速度切換え機構は、遊星歯車機構とガバナ機構とを連結して構成されている。遊星歯車機構は、シャッタ円板のスリットがシャッタ開口を横切っていないときにガバナー機構に噛合する間欠歯車を備えており、走行板がチャージ位置から走行完了位置に向けて移動した際に間欠歯車をガバナー機構に連結する。これにより、１回のシャッタレリーズで１画面を複数に分割した各コマに時系列的な露光が露光時間よりも長い露光間隔で行えるようになる。
【０００５】
前述した遊星歯車機構では、間欠歯車が遊星ギヤとされており、走行板を走行完了位置からチャージ位置に向けてチャージさせる際に伝達される回転によって間欠歯車が連結位置から離した位置に公転する。このため、フイルム巻き上げ時にはガバナ機構の負荷が伝達されることがなく、したがってフイルム巻き上げ操作がスムーズに行える。しかも、この遊星歯車機構を用いると、間欠歯車とガバナ機構との連結位置で歯同士が衝突した際に、間欠歯車が連結位置から離した位置に公転するから、歯欠け等の損傷や破損も防ぐことができる。
【０００６】
【発明が解決しようとする課題】
ところで、間欠歯車と減速駆動系との歯が衝突した際に、間欠歯車が連結位置から離した位置に公転すると、この間は減速駆動系の駆動が伝達されないから、露光間隔が所定時間よりも短くなる不具合が生じる。このような現象が単発的に生じるのであれば問題はないが、多発的に生じると、運動の初期から終期までを撮影することができなくなる恐れがある。そこで、このような不具合を解決するために、減速駆動をつなぎっ放しにすると、フイルム巻き上げ時に減速駆動が伝達されてしまい、フイルム巻き上げ操作をスムーズに行えない欠点が生じる。
【０００７】
本発明は上述した従来技術のもつ欠点を解決するためになされたもので、速度切換え機構に安定した精度を持たせるとともに、フイルム巻き上げ操作がスムーズに行えるようにした連写カメラを提供することを目的とする。
【０００８】
【課題を解決するための手段】
上記目的を達成するために、本発明の連写カメラでは、ガンギ車とこれに係脱自在に噛合するアンクルとで構成され、シャッタ円板の回転を緩速化するガバナ機構と；シャッタ円板駆動系のギヤ又はシャッタ円板に噛合するギヤとガバナ機構との間に直結して設けられており、スリットがシャッタ開口を通過した後にシャッタ円板の回転をガバナ機構により緩速化しスリットが次のシャッタ開口に対して一定の角度位置まで移動してきたときにシャッタ円板の回転を高速化するために、前記ギヤが所定の回転域を通過する期間だけこのギヤにガバナ機構を連結する間欠接続手段と；シャッタレリーズに応答して走行板がチャージ位置から走行完了位置に移動するときにシャッタ開口の全部を露呈し、フイルム巻き上げ操作に連動して走行板が走行完了位置からチャージ位置に戻ることに応答してシャッタ開口の全部を遮蔽する遮蔽位置に移動する全遮蔽板と；全遮蔽板が遮蔽位置に移動することに連動してアンクルをガンギ車との噛合位置から退避させる切換え手段と；をを備えたものである。
【０００９】
フイルム巻き上げ操作完了時には、切換え手段がガバナ機構の作動を有効化している。シャッタレリーズを行うと、これに連動してバネ付勢により駆動部材がチャージ位置から走行完了位置に向けて走行する。この駆動部材の移動がシャッタ円板駆動系に回転駆動として伝達される。シャッタ円板駆動系はシャッタ板を回転させ、シャッタ板に設けたスリットが順次に複数のシャッタ開口を横切って複数回の露光を行う。シャッタ円板のスリットがシャッタ開口を通過した後に間欠接続手段は、ガバナ機構に駆動を伝達して、シャッタ円板の回転を緩速化し、また、次に通過するシャッタ開口に対してスリットが一定の角度位置に達した時点で間欠接続手段は、ガバナ機構の駆動伝達を解除する。フイルム巻き上げ操作を行うと切換え手段がガバナ機構の作動を不能化にする。これにより、フイルム巻き上げ操作には、ガバナ機構の駆動が負荷されることはない。
【００１０】
ガバナ機構は、アンクルとガンギ車とで構成され、また、切換え手段はアンクルをガンギ車から離した位置に移動させることでガバナ機構の作動を不能化にする。
【００１１】
フイルム巻き上げ時にシャッタ円板が逆転して露光されることを防止するための全遮蔽板が設けられている。切り換えレバーは、この全遮蔽板がシャッタ開口の全てを遮蔽する遮蔽位置に移動するのに連動してアンクルをガンギ車から離した位置に移動する。
【００１２】
【発明の実施の形態】
図１ないし図３に示すように、レンズ付きフイルムユニット１０（以下、「フイルムユニット」と称す。）は、前カバー１１、露光ユニット１２、本体基部１３、写真フイルムパトローネ１４、及び後カバー１５とから構成されており、露光ユニット１２が前カバー１１と本体基部１３との間に組み込まれている。また、前カバーと露光ユニット１２との間には、２枚のレンズプレート１６，１７が挟装されている。
【００１３】
レンズプレート１６，１７には、上下２段、左右２列、計４個の撮影レンズ１８がそれぞれアクリル等の透明な樹脂で一体的に形成されている。各々の撮影レンズ１８の８本の光軸１８ａ〜１８ｈは平行となっている。
【００１４】
本体基部１３には、内部を上下２段、左右４列、計８個の部屋１９ａ〜１９ｈに仕切った暗箱１９が一体に形成されている。撮影レンズ１８の各光軸１８ａ〜１８ｈは暗箱１９の各仕切り部屋１９ａ〜１９ｈの略中心を通る。暗箱１９を挟む両側には、フイルムロール室２０、及びパトローネ室２１が一体に設けられている。パトローネ室２１には、パトローネ２２が、またフイルムロール室２０にはパトローネ２２から写真フイルム２３を引き出してロール形態としたフイルムロール２４がそれぞれ装填される。
【００１５】
このような形態の写真フイルムパトローネ１４は、本体基部１３に後カバー１５を被せることによって、フイルムロール２４とパトローネ２２との間のフイルム展延部が本体基部１３の背面に形成されたアパーチャー３６に位置決めされる。アパーチャー３６は、アスペクト比をハイビジョン比率とした画面サイズとなっている。１回のシャッタレリーズでアパーチャー３６を通して写真フイルム２３に写し込む１画面は、各撮影レンズ１８を透過した時系列的な被写体光が各部屋１９ａ〜１９ｈを通ってそれぞれ写真フイルム２３に入射する８個のコマで構成されている。
【００１６】
パトローネ２２には、写真フイルム２３の後端が係止されたスプール２５が回動自在に収納されている。パトローネ室２１の上部には、巻き上げノブ２６が回動自在に配設されている。巻き上げノブ２６には、スプール２５に係合する係合部２７が設けられている。巻き上げノブ２６の外周には歯列２８が形成されている。本体基部１３には、逆止爪２９が形成されている。逆止爪２９は、歯列２８に噛合しており、巻き上げ方向とは逆の方向に巻き上げノブ２３が回転することを阻止している。
【００１７】
後カバー１５には、パトローネ室２１の底面を覆うプルトップ式の蓋３０が一体に設けられている。この蓋３０を開放状態にしてパトローネ室２１から撮影済みの写真フイルムを収納したパトローネ２２を取り出すことができる。なお、後カバー１５には、ファインダー接眼窓３１と巻き上げノブ２３の一部を外部露呈させる開口３２とが一体に形成されている。
【００１８】
前カバー１１には、シャッタボタン３３、ファインダー対物窓３４、及び撮影レンズ１８を外部に露呈させる開口３５が一体に形成されている。開口３５は、各撮影レンズ１８をぞれぞれ外部に露呈する８個の開口３５ａ〜３５ｈで構成されている。シャッタボタン３３は、前カバー１１の上面の一部を切り欠いて弾性自在に形成されており、シャッタレリーズ時に押下操作される。なお、押圧操作を解除すると、シャッタボタン３３はそれ自身の弾性により元の位置に復帰する。
【００１９】
本体基部１３の前面には、露光ユニット１２がビス等で着脱自在に取り付けられる。なお、この露光ユニット１２には、接眼レンズと対物レンズとからなるファインダー光学系３９が組み込まれている。
【００２０】
露光ユニット１２は、光密な箱にシャッタ機構、シャッタチャージ機構、フイルム巻き止め機構、及びフイルムカウンタ機構等を一体的に組み込んだユニット化部品とされている。箱は、前板４０，中板４１、及び後板４２で構成されている。シャッタ機構は、図４及び図５に示すように、前板４０と中板４１との間に組み込まれたシャッタ円板４２〜４５、間欠接続手段である外接ゼネバ機構４６、減速手段であるガバナー機構４７と、中板４１と後板４２との間に組み込まれた駆動部材である走行板４８、切換え遮蔽板４９、及び全遮蔽板５０等から構成されている。
【００２１】
前板４０、中板４１、及び後板４２には、撮影レンズ１８の光軸１８ａ〜１８ｈ上にそれぞれ開口４０ａ〜４０ｈ，４１ａ〜４１ｈ，４２ａ〜４２ｈが形成されている。このうち中板４１の開口４１ａ〜４１ｈが絞り開口とされている。これらの絞り開口４１ａ〜４１ｈは、固定絞りとシャッタ開口とを兼用しており、これらの内径はいずれも等しくなっている。なお、開口４０ａ〜４０ｈ，４２ａ〜４２ｈは、画角外の有害光をカットする大きさに決められている。
【００２２】
絞り開口４１ａ〜４１ｈの前面には、４つのシャッタ円板４２〜４５が回動自在に設けられている。これらのシャッタ円板４２〜４５の回転中心は、上方に配列された４個の絞り開口４１ｅ〜４１ｈの中心を通る水平線よりも上方の位置で、且つ隣接する絞り開口４１ｅと４１ｆ，４１ｇと４１ｈから等距離の位置に２個のシャッタ円板４４，４５の回転中心が、また下方に配列された４個の絞り開口４１ａ〜４１ｄの中心を通る水平線よりも下方の位置で、且つ隣接する絞り開口４１ａと４１ｂ，４１ｃと４１ｄから等距離の位置に２個のシャッタ円板４２，４３の回転中心がそれぞれ決められている。
【００２３】
シャッタ円板４２〜４５には、各々１個ずつのスリット４２ａ，４３ａ，４４ａ，４５ａが形成されている。これらのスリット４２ａ，４３ａ，４４ａ，４５ａは、各回転中心から同じ半径上に形成されており、そのスリット長（シャッタ円板の半径方向の長さ）が絞り開口４１ａ〜４１ｈの内径以上となっている。
【００２４】
シャッタ円板４２〜４５の外周には、全周にわたって同じ歯数のギヤ４２ｂ，４３ｂ，４４ｂ，４５ｂが形成され、上下方向で回転中心を同じにしたシャッタ円板同士のギヤ４２ｂとギヤ４４ｂ、及びギヤ４３ｂとギヤ４５ｂとがそれぞれ互いに噛合している。そして、ギヤ４４ｂとギヤ４５ｂとには、ギヤ５２が噛合している。ギヤ５２は、二段ギヤとなっており、他方のギヤ５３にはギヤ５４が噛合している。ギヤ５４は二段ギヤとなっており、他方のギヤ５５には、中板４１の開口５６を介して走行板４８の走行駆動伝達用のラック４８ａが噛合している。
【００２５】
各シャッタ円板４２〜４５は、走行板４８がフイルム給送方向に沿って走行することによってそれぞれ２回転する。これらのスリット４２ａ，４３ａ，４４ａ，４５ａは、シャッタ円板４２〜４５の２回転により各絞り開口４１ａ〜４１ｈを２回横切る。この横切りは、シャッタ円板４２，４３のスリット４２ａ，４３ａが下段の絞り開口列４１ａ〜４１ｄを、またシャッタ円板４４，４５のスリット４４ａ，４５ａが上段の絞り開口列４１ｅ〜４１ｈをそれぞれ順に横切る。
【００２６】
走行板４８の下方には、上側の絞り開口列４１ｅ〜４１ｈと下側の絞り開口列４１ａ〜４１ｄとをシャッタ円板４２〜４５の１回転目と２回転目とで択一的に遮蔽する切換え遮蔽板４９が、絞り開口４１ａ〜４１ｈの背後でフイルム給送方向に移動自在に配置されている。切換え遮蔽板４９には、下段の絞り開口列４１ａ〜４１ｄを同時に露呈させる４つの開口４９ａ〜４９ｈと、上段の絞り開口列４１ｅ〜４１ｈを同時に露呈させる４つの開口４９ｅ〜４９ｈとが、フイルム給送方向に所定間隔ずらして形成されており、バネ５６により開口４９ｄ〜４９ｈが下段の絞り開口列４１ｄ〜４１ｈを同時に露呈する切換え位置に向けて付勢されている。
【００２７】
切換え遮蔽板４９には、突出片５７と段差部５８とがそれぞれ一体に形成されており、走行板４８がチャージ位置に向けて移動された際に、走行板４８の立ち下がり片４８ｂが突出片５７を引っ掛けて、開口４９ａ〜４９ｄが下段の絞り開口列４１ａ〜４１ｄを同時に露呈する初期位置に向けて移動される。初期位置に移動されると、切換え遮蔽板４９は段差部５８に入り込む切換えレバー５９の一端５９ａで保持される。切換えレバー５９は、一端５９ａが段差部５８に入り込む方向に向けて捩じりバネ６０で付勢されている。
【００２８】
シャッタレリーズ後に走行板４８がシャッタ円板４２〜４５を１回転させる位置まで走行すると、走行板４８の立ち下がり片４８ｂが切換えレバー５９の他端５９ｂに当接し、切換えレバー５９をバネ６０の付勢方向とは逆方向に回転させる。これにより、切換え遮蔽板４９の保持が解除され、切換え遮蔽板４９は切換え位置に向けてバネ５６の付勢により瞬時に移動する。切換え遮蔽板４９が切換え位置に移動した際には、切換えレバー５９の一端５９ａが突出片５７に当接して切換え遮蔽板４９が切換え位置で保持される。
【００２９】
シャッタ円板４５には、ギヤ６０が噛合している。このギヤ６０は二段ギヤとなっており、他方のギヤ６１にはゼネバ機構４６が噛合している。ゼネバ機構４６にはガバナ機構４７が噛合している。間欠接続手段であるゼネバ機構４６は、２個のピン６２ａ，６２ｂを備えたピンギヤ６２と、４つの溝６３ａ〜６３ｄを備えたマルタクロス６３とから構成されている。ピンギヤ６２は、シャッタ円板４２〜４５に対して２回転し、各スリット４２ａ〜４５ａが各絞り開口４１ａ〜４１ｈを通過している間ではピン６２ａ，６２ｂと溝６３ａ〜６３ｄとの噛合が解除され、絞り開口４１ａ〜４１ｈを通過していない間ではピン６２ａ，６２ｂが溝６３ａ〜６３ｄに噛合する。
【００３０】
マルタクロス６３が停止中には、シャッタ円板４２〜４５が走行板４８の走行に従動して高速回転する。また、マルタクロス６３が回転すると、ガバナ機構４７がシャッタ円板４２〜４５の回転を減速させる。これにより、シャッタ円板４２〜４５は、露光間隔が露光時間よりも遅くなる。
【００３１】
ガバナ機構４７は、シャッタ円板４２〜４５の回転を緩速化する減速手段であり、周知のガンギ車６４とアンクル６５とから構成されている。このアンクル６５は、レバー板６５ａとともに切換え手段を構成しており、レバー板６５ａに軸着されている。レバー板６５ａは、中板４１に植設された軸６５ｂを中心にしてアンクル６５をガンギ車６４に噛合させる噛合位置とこれから退避した退避位置との間で移動自在に取り付けられる。そして、レバー板６５ａには、中板４１の長穴４１ｉを通して中板４１の裏面に突出する突状部６５ｃが設けられている。
【００３２】
長穴４１ｉは、レバー板６５ａの噛合位置を規制する規制部材を構成している。すなわち、レバー板６５ａが噛合位置の際にアンクル６５がガンギ車６４に強固に食いつかないように、長穴４１ｉの内壁の上端で突状部６５ｃを当接させてレバー板６５ａを最適な噛合位置に規制している。これによれば、レバー板６５ａが自重で移動する構造であるため、例えば連写カメラ１０を逆さまに構えて撮影した場合、レバー板６５ａが自重で移動してアンクル６５がガンギ車６４に深く食いついてしまい、ガバナ機構４７の動きが悪くなることを防止することができる。
【００３３】
シャッタ円板４２〜４５の各露光時間は、走行板４８の走行速度と、ガバナ機構４７の遅延が解除された時点でのスリット４２ａ〜４５ａと絞り開口４１ａ〜４１ｈとの間の角度によって決まり、露光ムラを防止するためにこれらを一定にする必要がある。本実施例ではシャッタ円板４２〜４５の回転中心に対して各絞り開口４１ａ〜４１ｈの角度が異なる２種類の角度の配列となっているため、前述した角度を一定にするためには、ピンギヤ６２の２つのピン６２ａ，６２ｂの間隔を２種類の角度と同じ比率にする。これにより、ガバナ機構４７の遅延駆動がシャッタ円板４２〜４７の露光間隔内で確実に伝達されるとともに、ガバナ機構４７の遅延駆動が解除された時点でのスリット４２ａ〜４５ａと絞り開口４１ａ〜４１ｈとの間の角度が全て同じとなる。
【００３４】
走行板４８は、フイルム給送方向に沿ったチャージ位置と走行完了位置との間で移動自在に組み込まれている。この走行板４８の背面には、後板４２の長孔６６を介して後板４２の背面側に突出したピン４８ｃが一体に設けられている。このピン４８ｃには、捩じりバネ６７の一端６７ａが引っ掛けられている。捩じりバネ６７は、後板４２に一体に形成された４本の突出ピン６８にコイル部が固定され、また他端６７ｂが後板４２に形成したストッパーピン６９に引っ掛けられており、走行板４８を走行完了位置に向けて付勢している。
【００３５】
シャッタチャージ機構、及びフイルム巻き止め機構等は、スプロケット７０、三段ギヤ７１、走行板４８、連結板７２、レリーズ連動レバー７３、巻き止めレバー７４、及び、回転部材７５等から構成されている。詳しくは図７に示すように、スプロケット７０は、暗箱１９の上方で写真フイルム２２のパーフォレーションに係合しており、１画面分のフイルム移送に連動して１回転する。このスプロケット７０には同軸にギヤ７６が一体に固定されている。
【００３６】
ギヤ７６には、三段ギヤ７１のうち真ん中のギヤ７７に噛合しており、１画面分のフイルム移送に連動してスプロケット７０と同じに１回転する。三段ギヤ７１の上方には、歯欠けギヤ７８が一体に形成されている。歯欠けギヤ７８は、後板４２の開口８７を介して走行板４８のラック４８ｄに臨んでいる。巻き上げノブ２６の巻き上げ操作が行われると、写真フイルム２３の移送に連動してスプロケット７０及び三段ギヤ７１が回転し、歯欠けギヤ７８のギヤ部７８ｂがラック４８ｃに噛合することで、走行板４８を走行完了位置からチャージ位置に移動させる。
【００３７】
連結板７２は、箱の内部で走行する走行板４８と、箱の外部に配置されたレリーズ連動レバー７３、及び、巻き止めレバー７４との連結を光密にした状態で行わせるためのものであり、中板４１に形成された別室７９の中で、下降位置と上昇位置との間で昇降自在に組み込まれている。
【００３８】
連結板７２には、弾性自在な爪片７２ａ、開口７２ｂ、及びロック爪７２ｃが一体に形成されている。弾性自在な爪片７２ａは、別室７９に形成された開口８０を介して箱の内部で走行する走行板４８の走行路内に臨んでおり、中板４１の内部に形成された固定爪８１に係合して連結板７２を下降位置に保持している。走行板４８がチャージ位置に移動すると、走行板４８に形成した突起部４８ｆが爪片７２ａを撓ませて、爪片７２ａと固定爪８１との係合を解除する。
【００３９】
連結板７２の開口７２ｂには、レリーズ連動レバー７３の連動棒７３ａが入り込んでいる。レリーズ連動レバー７３は、シャッタボタン３３の押下操作に連動して光軸１８ａ〜１８ｈに沿った回転軸を中心に初期位置と押下位置との間で回転し、捩じりバネ８２により初期位置に向けて付勢されている。この捩じりバネ８２は、連動棒７３ａを介して連結板７２を上昇位置に向けて付勢している。これにより、連結板７２の爪片７２ａと固定爪８１との係合が解除された後には、捩じりバネ８２の付勢により連結板７２が上昇位置に、またレリーズ連動レバー７３が初期位置にそれぞれ移動する。連結板７２が上昇位置に移動すると、これのロック爪７２ｃが走行板４８の保持爪４８ｅに係合して走行板４８をチャージ位置に保持する。
【００４０】
回転部材７５は、円板７５ａの外周に溝７５ｂが形成されており、スプロケット７０と一体に回転する。円板７５ａの外周には、巻き止めレバー７４の一端７４ａが臨んでいる。巻き止めレバー７４は、一端７４ａの他に、斜面部７４ｂと巻き止め爪７４ｃとが一体に形成されており、光軸１８ａ〜１８ｈに対して直交する方向に沿った回転軸に、巻き止め位置と巻き止め解除位置との間で回動自在に配置され、捩じりバネ８３により巻き止め位置に向けて付勢されている。斜面部７４ｂには、開口７２ｂを挿通した連動棒７３ａの先端が臨んでいる。
【００４１】
１画面分の長さだけ写真フイルム２３の巻き上げが行われると、回転部材７５が１回転する。回転部材７５が１回転すると、溝７５ｂに一端７４ａが入り込んでスプロケット７０の回転が阻止される。このとき、巻き止めレバー７４が巻き止め位置に向けて回転するため、巻き止め爪７４ｃが巻き上げノブ２６の歯列２８に噛合して巻き上げノブ２６の巻き上げ操作が禁止される。
【００４２】
シャッタボタン３３の押下操作が行われると、レリーズ連動レバー７３が押下位置に回転する。レリーズ連動レバー７３が押下位置に回転すると、これに従動する連動棒７３ａにより連結板７２が下降位置に移動する。連結板７２が下降位置に移動するとロック爪７２ｃと走行板４８の保持爪４８ｅとの係合が解除され、走行板４８のチャージ位置での保持が解除される。このとき、走行板４８は、ラック４８ｄに歯欠けギヤ７８の歯欠け部７８ａが対峙しているから、ギヤ部７８ｂに噛合することなく、チャージ位置に向けて走行する。
【００４３】
一方、レリーズ連動レバー７３が押下位置に回転した際には、連動棒７３ａの先端が巻き止めレバー７４の斜面部７４ｂに当接し、巻き止めレバー７４を巻き止め解除位置に向けて回転させる。巻き止めレバー７４が巻き止め解除位置に回転すると、一端７４ａが溝７５ｂから退避し、また巻き止め爪７４ｃが歯列２８から退避するから、スプロケット７０の回転と巻き上げノブ２６の回転操作とのロックが解除される。この連結板７２が下降位置に移動した際には、爪片７２ａが固定爪８１に係合するから、レリーズ連動レバー７３が押下位置の状態で保持される。これにより、連動棒７３ａの先端が巻き止めレバー７４の斜面部７４ｂを押した状態のままとなっているので、巻き止めレバー７４は巻き止め位置に回転することはない。
【００４４】
ところで、巻き上げ操作時に走行板４８が走行完了位置からチャージ位置に向けて移動すると、ラック４８ｄと歯欠けギヤ７８との噛合によりシャッタ円板４２〜４５が逆回転して露光が行われてしまう。そこで、フイルム巻き上げ操作の際に生じる露光を防止するために、全遮蔽板５０が配置されている。
【００４５】
全遮蔽板５０には、８個の開口５０ａ〜５０ｈが形成されており、切換え遮蔽板４９の背後でフイルム給送方向に移動自在に配置されている。この全遮蔽板５０は、各開口５０ａ〜５０ｈから各絞り開口４１ａ〜４１ｈを全部露呈する全露呈位置と各開口５０ａ〜５０ｈが各絞り開口４１ａ〜４１ｈを全部遮蔽する全遮蔽位置との間で移動が行われ、バネ８４により全露呈位置に向けて付勢されている。
【００４６】
また、全遮蔽板５０には、全露呈位置に向けて移動する方向に斜面をもった係合部５０ｉが一体に設けられている。係合部５０ｉは、全遮蔽板５０が全露呈位置に移動した時に前述したレバー板６５ａの突状部６５ｃを押し上げてレバー板６５ａを噛合位置に移動させ、また全遮蔽板５０が全遮蔽位置に向けて移動した時に突状部６５ｃから退避してレバー板６５ａの押し上げを解除する。係合部５０ｉが退避するとレバー板６５ａがこれ自身の重さにより退避位置に移動する。
【００４７】
三段ギヤ７１の下方には、歯欠けギヤ８５が一体に形成されている。この歯欠けギヤ８５には切り欠き部８５ａが形成されている。切り欠き部８５ａには、全遮蔽板５０に突出して形成したＬ字片８６が後板４２の開口８７を介して臨んでいる。
【００４８】
スプロケット７０の回転に従動して歯欠けギヤ８５が回転すると、走行板４８のチャージ位置への移動が開始される前に、切り欠き部８５ａが縁でＬ字片８６を引っ掛けて全遮蔽板５０を全遮蔽位置に移動させる。その後、走行板４８のチャージ位置への移動が完了するまでの間で、この位置でＬ字片８６に歯欠けギヤ８５の歯を順次に係合させてゆくことで、全遮蔽板５０を全遮蔽位置の状態で保持する。そして、走行板４８のチャージ位置への移動が完了した時点で切り欠き部８５ａがＬ字片８６に対峙するから、全遮蔽板５０はバネ８４の付勢により全露呈位置に戻される。
【００４９】
スプロケット７０には、フイルム巻き上げ時に、シャッタ円板４２〜４５等の回転負荷の他に、走行板４８、全遮蔽板５０、及び切換え遮蔽板４９を移動させる負荷とこれらに設けた捩じりバネ６７、バネ５６，８４の付勢に抗する負荷が加わるため、スプロケット７０の歯幅が少ないとパーフォレーションの縦エッジに対して僅かにしか引っ掛からず、パーフォレーション間を破ってしまう恐れがある。そこで、本実施例のスプロケット７０は、パーフォレーションの縦エッジに対して引っ掛かり量が多くなるように歯幅を厚くしてある。また、歯幅を厚くすると、スプロケット７０の歯先でパーフォレーションの縦のエッジに応力集中を生じさせ、パーフォレーションの角の部分に裂け目や亀裂等を生じさせる恐れがある。そこで、このような応力集中を与えることを防ぐために、スプロケット７０の各歯先は、断面円弧又は楕円弧形状に形成されている。
【００５０】
フイルムカウンタ機構は、回転部材７５の先端に形成した一歯ギヤ７５ｃ、枚数表示板８８、及びカム部８８ａとから構成されており、これらは天板８９によって箱に取り付けられている。一歯ギヤ７５ｃは、枚数表示板８８の外周に形成した歯列８８ｂに噛合しており、１画面分の長さだけ写真フイルム２３が巻き上げられると、一歯ギヤ７５ｃの１回転により枚数表示板８８が一目盛り分だけ歩進する。枚数表示板８８の上面には、前カバー１１と後カバー１５とを組み合わせることで形成される表示窓９０を通してその時点での残りの撮影枚数を表示する数字が表記されている。
【００５１】
最後の画面に撮影を行った後の巻き上げ操作によって枚数表示板８８が歩進すると、枚数表示板８８の下面に一体に形成したカム部８８ａが、レリーズ連動レバー７３に一体に形成した立ち上がり突起７３ｂの上面に入り込む。その後、走行板４８がチャージ位置に到達することで、連結板７２が上昇位置に向けて移動し、これに連動してレリーズ連動レバー７３も初期位置に向けて回転する。この回転中に立ち上がり突起７３ｂがカム部８８ａに当接し、レリーズ連動レバー７３を押下位置と初期位置との間のフイルム収納許容位置に保持する。レリーズ連動レバー７３がフイルム収納許容位置となると、連結板７２が走行板４８をチャージ位置に保持した状態となり、また、連動棒７３ａが巻き止めレバー７４を巻き止め解除位置に保持した状態となる。これにより、最後の画面に撮影を行った後の巻き上げ操作によって、走行板４８をチャージ位置に保持したまま撮影済みの写真フイルム２３の全てをパトローネ２２の内部に収納させることができる。
【００５２】
上記構成の作用について説明する。シャッタレリーズ完了後には、図８に示すように、シャッタ円板４２〜４５の各スリット４２ａ〜４５ａが回転中心を通る水平線上に位置しており、このうちシャッタ円板４２，４４のスリット４２ａ，４５ｂがシャッタ円板４３，４５に対して１８０度ずれた位置の状態となっている。このため、絞り開口４１ａ〜４１ｈは、シャッタ円板４２〜４５で遮蔽された状態となっている。
【００５３】
ゼネバ機構４６は、ピンギヤ６２のピン６２ｂとマルタクロス６３の溝６３ａとの係合が解除される直前の状態とされている。走行板４８は、走行完了位置の状態となっている。フイルム巻き止め機構は、レリーズ連動レバー７３が押下位置の状態、また連結板７２が下降位置の状態、さらに、巻き止めレバー７４が巻き止め解除位置の状態となっている。
【００５４】
切換え遮蔽板４９は、切換えレバー５９の先端５９ａが段差部５８に当接しており、下段の絞り開口列４１ａ〜４１ｄを全部露呈した初期位置の状態とされている。全遮蔽板５０は、全露呈位置の状態となっており、係合部５０ｉが突状部６５ｃに当接してアンクル６５がガンギ車６４に噛合する位置にレバー板６５を保持している。
【００５５】
巻き上げノブ２６をフイルム巻き上げ方向に回転させる巻き上げ操作を行うと、写真フイルム２３がフイルムロール室２０からパトローネ室２１に向けて移送され、この移送に連動してスプロケット７０が回転する。スプロケット７０の回転に連動して三段ギヤ７１が回転すると、図９に示すように、最初に歯欠けギヤ８５の切り欠き部８５ａが縁でＬ字片８６を引っ掛けて全遮蔽板５０を全遮蔽位置に移動させる。この全遮蔽板５０の移動により係合部５０ｉが突状部６５ｂから退避した位置に移動する。これにより、レバー板６５ａは、軸６５ｂを中心として自重で退避位置に回転する。その後、歯欠けギヤ７８のギヤ部７８ｂがラック４８ｄに噛合して走行板４８をチャージ位置に向けて移動させる。
【００５６】
走行板４８がチャージ位置に向けて移動すると、シャッタ円板４２〜４５が回転するが、この間で全遮蔽板５０が絞り開口４１ａ〜４１ｈを全部遮蔽しているので、露光が行われることはない。また、このときのシャッタ円板４２〜４５の回転がガンギ車６４に伝達されるが、レバー板６５ａが退避位置に移動しているから、減速手段の駆動伝達が断たれている。したがって、フイルム巻き上げ時に減速駆動が伝達されないから、巻き上げ操作がスムーズに行える。
【００５７】
走行板４８がチャージ位置に移動した際には、走行板４８の往復移動長が同じであるため、シャッタ円板４２〜４５が逆方向に２回転して前述した初期状態と同じ状態となる。
【００５８】
走行板４８がチャージ位置に到達すると、突起部４８ｆが連結板７２の爪片７２ａを撓ませて爪片７２ａと固定爪８１ａとの係合が解除される。これにより、捩じりバネ８２の作用によりレリーズ連動レバー７３が初期位置に、また連結板７２が上昇位置にそれぞれ移動する。そして、連結板７２が上昇位置に移動すると、ロック爪７２ｃが走行板４８の保持爪４８ｅに係合して走行板４８をチャージ位置に保持する。走行板４８がチャージ位置に到達した後には、歯欠けギヤ７８の歯欠け部７８ａがラック４８ｄに対面するため、走行板４８がこれ以上移動することはない。このとき、捩じりバネ６７は、バネを巻き込む方向に捩じられた状態となる。
【００５９】
レリーズ連動レバー７３が初期位置に回転することにより連動棒７３ａの斜面部７４ｄへの押圧が解除されるから、巻き止めレバー７４が捩じりバネ８３の付勢により巻き止め位置に向けて回転する。このとき、未だスプロケット７０が１回転していないから、巻き止めレバー７４の一端７４ａが円板７５ａの周面に当接した状態となる。
【００６０】
１画面分の長さだけ写真フイルム２３が巻き上げられると、スプロケット７０が１回転し、一端７４ａが溝７５ｂに入り込む。これにより、巻き止めレバー７４が巻き止め位置に回転し、スプロケットの回転が阻止される。このとき、巻き止め爪７４ｃが巻き上げノブ２６の歯列２８に係合して巻き上げノブ２６の回転操作も阻止される。またスプロケット７０が１回転した際には、三段ギヤ７１が１回転している。したがって、切り欠き部８５ａがＬ字片８６に対面するため、全遮蔽板５０がバネ８４の付勢により全露呈位置に戻される。この全遮蔽板５０の移動により、係合部５０ｉが突状部６５ｃの下に入り込んでこれを押し上げる。このとき、長穴４１ｉの内部の上端部がレバー板６５ａの突状部６５ｃに当接しレバー板６５ａの噛合位置の規制が行われ、図８に示した状態に戻る。この状態では、アンクル６５をガンギ車６４に強固に噛合させることのない最適な噛合位置にレバー板６５ａが保持されている。
【００６１】
シャッタボタン３３を押下操作すると、レリーズ連動レバー７３が押下位置に回転し、連動棒７３ａを介して連結板７２も下降位置に移動する。これにより、連結板７２のロック爪７２ｃが走行板４８の保持爪４８ｅから退避して走行板４８のチャージ位置での保持が解除される。このとき、捩じりバネ６７がバネを巻き戻す方向に付勢するため、走行板４８が走行完了位置に向けて移動する。
【００６２】
走行板４８の直線駆動は、走行駆動用のラック４８ａに噛合したギヤ５５によって回転駆動に変換され、シャッタ円板４２〜４５に伝達される。各シャッタ円板４２〜４５の回転方向は、図１０に矢印で示した方向となっている。ゼネバ機構４６は、ピンギヤ６２のピン６２ｂとマルタクロス６３の溝６３ａとの係合が解除される直前の状態とされているため、次のピン６２ａと溝６３ｂとが噛合するまでの間では、シャッタ円板４２〜４５が走行板４８を付勢する捩じりバネ６７の付勢力によって回転する。この回転により、図１１に示すように、各スリット４２ａ〜４５ａが点線で示す位置から実線で示す位置にまで回転する。
【００６３】
この回転中には、上段左側のシャッタ円板４４と下段左側のシャッタ円板４２とのスリット４４ａ，４２ａがそれぞれ絞り開口４１ａ，４１ｅを横切っているが、切換え遮蔽板４９が下段の絞り開口列４１ａ〜４１ｄだけを露呈しているので、スリット４２ａが横切る絞り開口４１ａだけを被写体光が通過する。この被写体光は、暗箱１９の仕切り部屋１９ａを通して写真フイルム２３に入射し、仕切り部屋１９ａのサイズで潜像画像のコマが形成される。
【００６４】
その後、スリット４２ａ〜４５ａが実線で示す位置にまでシャッタ円板４２〜４５が回転すると、ピンギヤ６２のピン６２ａがマルタクロス６３の溝６３ｂに噛合する。このため、その後はガバナ機構４７の減速駆動が与えられるため、シャッタ円板４２〜４５の回転が減速される。
【００６５】
ガバナ機構４７の減速駆動は、マルタクロス６３が回転している間でシャッタ円板４２〜４５に与えられる。この間のシャッタ円板４３〜４５の回転は、各スリット４２ａ〜４５ａが図１２に点線で示す位置から実線で示す位置までの間となっている。同図に示す点線の位置となると、ピン６２ａと溝６３ｂとの係合が解除され、マルタクロス６３の回転が停止する。これにより、ゼネバ機構４６は、ガバナー機構４７の減速駆動を解除した作動停止の状態とされる。このとき、スリット４２ａと次に横切る絞り開口４１ｂとの間の角度が初期状態と同じ角度となるので、次回の２回目の露光は１回目の露光と同じ露光時間で行えるようになる。
【００６６】
ゼネバ機構４６が次に作動するまでの間では、再び捩じりバネ６７の付勢力によって走行板４８が走行し、各スリット４２ａ〜４５ａが図１３に示す点線で示す位置から実線で示す位置にまでシャッタ円板４２〜４５が回転する。この回転中に、スリット４２ａが横切る絞り開口４１ｂに対応するコマに２回目の露光が行われる。その後は、各スリット４２ａ〜４５ａが図１４に点線で示す位置から実線で示す位置にまで回転する範囲で、シャッタ円板４２〜４５にガバナ機構４７の減速駆動が与えられる。この時点でシャッタ円板４２〜４５は半回転しており、その後、図１５から図１８に示す順で、シャッタ円板４２〜４５がさらに半回転する。この間の図１５の際にスリット４３ａが絞り開口４１ｃを横切って３回目の露光が、また、図１７の際にスリット４３ａが絞り開口４１ｄを横切って４回目の露光が行われる。そして、図１８に示す状態でシャッタ円板４２〜４５が１回転した状態となる。
【００６７】
シャッタ円板４２〜４５を１回転させる位置まで走行板４８が走行すると、図１９に示すように、立ち下がり片４８ｂが切換えレバー５９の他端５９ｂに当接し、切換えレバー５９をバネ６０の付勢に抗して時計方向に回転させる。これにより切換えレバー５９の一端５９ａと切換え遮蔽板４９の段差部５８との係合が解除され、バネ５６の付勢により切換え遮蔽板４９が瞬時に切換え位置に向けて移動する。このとき、切換えレバー５９の一端５９ａが切換え遮蔽板４９の突出片５７に係合して、切換え遮蔽板４９を切換え位置に保持する。
【００６８】
切換え遮蔽板４９が切換え位置に移動すると、上段の絞り開口列４１ｅ〜４１ｈが露呈される。その後、シャッタ円板４２〜４５は、図１１〜図１８で説明したと同じに再び１回転し、図１１に示した際にスリット４４ａが絞り開口４１ｅを横切って５回目の露光が、図１３に示した際にスリット４４ａが絞り開口４１ｆを横切って６回目の露光が、図１５に示した際にスリット４５ａが絞り開口４１ｇを横切って７回目の露光が、そして、図１７に示した際にスリット４５ａが絞り開口４１ｈを横切って最後の８回目の露光がそれぞれ順に行われる。その後、走行板４８が走行完了位置に到達して停止し、シャッタ円板４２〜４５が図１８に示す状態となる。これにより、露光枠１９にセットされた写真フイルム２３には、１画面を上下２段、左右４列に分割した８コマに時系列的な潜像画像が全て露光されている。
【００６９】
露光が完了した時点では、連結板７２が下降位置に保持されていることから、巻き止めレバー７４が捩じりバネ８３の付勢に抗して巻き止め解除位置に保持されている。これにより、次回のフイルム巻き上げ操作が行える。
【００７０】
以下、前述したと同じに巻き上げ操作を行った後にシャッタレリーズを繰り返し行うことで、写真フイルム２３の各画面には、８コマの時系列的な潜像画像が露光される。そして、最後の画面に撮影を行った後の巻き上げ操作によって、走行板４８がチャージ位置に復帰すると、枚数表示板８８のカム部８８ａがレリーズ連動レバー７３の立ち上がり突起７３ｂに当接し、レリーズ連動レバー７３をフイルム収納許容位置に保持する。これにより、走行板４８をチャージ位置に保持したままで巻き止めレバー７４を巻き止め解除位置に保持することができるため、最後の巻き上げ操作によって写真フイルム２３の全部をパトローネ２２の内部に収納することができる。
【００７１】
撮影済みのフイルムユニット１０は、そのままの状態で現像所に提出される。現像所では、後カバー１５の底蓋３０を開いてパトローネ２２を取り出して、従来通りの処理で写真フイルム２３に現像び焼付け処理を行い、図２０に示すようなプリント写真９０が得られる。このプリント写真９０は、アスペクト比がハイビジョン比率とされたサイズとなっており、各コマの画像が左上から右上へ、左下から右下への順で時系列的に記録されている。
【００７２】
本実施例によれば、全遮蔽板５０が全遮蔽位置に移動した際に係合板５０ｉがレバー板６５ａの噛合位置での保持を解除し、レバー板６５ａが重力方向に沿った退避位置に自然に移動するようにしているから、レバー板６５ａを退避位置に移動させる強制的な機構を別途に必要とせず、したがって、コンパクト化及びローコスト化を図ることができる。
【００７３】
上記実施例では、全遮蔽板５０の係合部５０ｉでレバー板６５ａを押し上げてアンクル６５をガンギ車６４から離すようにしているが、本実施例ではこれに限らず、図２１に示すように、バネ８０でレバー板６５ａを噛合位置に向けて付勢させておき、全遮蔽板５０に設けた解除板８２で全遮蔽位置への移動に応答してレバー板６５ａに設けた係合部材８１をバネ８０の付勢に抗して押し下げてレバー板６５ａを退避位置に移動させ、アンクル６５をガンギ車６４から離すようにしてもよい。なお、図２１では、（Ａ）が全露呈位置の状態、（Ｂ）が全遮蔽位置の状態をそれぞれ示している。
【００７４】
上記実施例では、レンズ付きフイルムユニット１０の連写用シャッタ機構について説明しているが、本発明ではこれに限らず、連写機能を付与した一般的なカメラにも採用することができるのはいうまでもない。また、本発明では、シャッタ開口列を４列に限定しない。さらにまた、シャッタ開口列を上下２段に限ることなく、１段でもよいし、３段以上でもよい。また、予め装填しておくフイルムとしては、１３５タイプのパトローネ付き写真フイルムの他に、例えばスプールの回転により写真フイルムを送り出すタイプを装填してもよい。
【００７５】
また、間欠接続手段としては、ゼネバ機構の他に、減速駆動を間欠的に伝達する機構、例えば間欠歯車機構等を採用してもよい。また本実施例では  外接ゼネバ機構を採用しているが、内接ゼネバ機構を採用してもよい。また、ゼネバ機構として、２つのピン６２ａ，６２ｂを有するピンギヤ６２と、４つの溝６３ａ〜６３ｄを有するマルタクロス６３との構成としているが、本発明ではこれらのピンと溝との数を限定することはない。しかしながら、シャッタ円板のスリットがシャッタ開口を通過した後に減速駆動を伝達し、次に通過するシャッタ開口に対してスリットが一定の角度位置に達した時点で減速駆動の伝達を解除するタイミングでピンと溝とが係脱するようにしておく必要がある。
【００７６】
上記実施例では、バネ付勢により移動する駆動部材を走行板４８としているが、これ以外にバネ付勢により回転する回転板等も採用することができる。また、上記実施例では、切換えレバー６５ａを全遮蔽板５０の移動に応答させて移動しているが、これの他に走行板４８の移動に応答させるようにしてもよい。さらに、ガバナ機構４７の緩速化駆動をフイルム巻き上げ操作に伝達させないようにする切換え手段としては、アンクル６５をガンギ車６４から切り離す構造の他に、例えばスプロケット７０の駆動をガバナ機構４７に伝達するまでの駆動伝達系のいずれかのギヤを噛合位置と噛合解除位置との間で移動させるようにしてもよいし、一方向クラッチ機構を内蔵させてもよい。
【００７７】
【発明の効果】
以上のように、本発明によれば、間欠接続手段にガバナ機構の緩速駆動を間欠的に伝達させる作用だけをもたせ、フイルム巻き上げ時に全遮蔽板が遮蔽位置に移動するのに連動してガバナ機構の緩速駆動を非伝達にする作用を切換え手段にもたせたから、フイルム巻き上げ操作にガバナ機構の緩速駆動が伝達されることがなく、したがってフイルム巻き上げ操作がスムーズに行える。
【００７８】
また、切換え手段は、ガバナ機構を構成するアンクルとガンギ車との噛合を解除することで、ガバナ機構の作動を不能化するから、構成が簡単で安価で達成できる。
【００７９】
さらに、切換え手段を構成する切換えレバーを全遮蔽板の移動に応答して移動させるようにしたから、フイルム巻き上げ時に生じるガバナ機構の緩速駆動の伝達を確実に無くすることができる。
【図面の簡単な説明】
【図１】レンズ付きフイルムユニットの分解斜視図である。
【図２】レンズ付きフイルムユニットの横断面図である。
【図３】レンズ付きフイルムユニットの縦断面図である。
【図４】シャッタ機構の一部を示す分解斜視図である。
【図５】シャッタ機構の他部を示す分解斜視図である。
【図６】シャッタチャージ機構、フイルム巻き止め機構、及びフイルムカウンタ機構等の要部を示す分解斜視図である。
【図７】フイルム巻き止め機構、及びシャッタチャージ機構等の概略説明図である。
【図８】シャッタ円板、全遮蔽板、及び切換え手段の初期状態を示す説明図である。
【図９】フイルム巻き上げ操作時のシャッタ円板、全遮蔽板、及び切換え手段の状態を示す説明図である。
【図１０】シャッタ円板、及びゼネバ機構等のシャッタレリーズ直後の状態を示す説明図である。
【図１１】ゼネバ機構が停止中にシャッタ円板が回転して１回目、又は５回目の露光を行った状態を示す説明図である。
【図１２】図１１で説明した露光後にゼネバ機構が作動する間でシャッタ円板が回転する状態を示す説明図である。
【図１３】ゼネバ機構が停止中にシャッタ円板が回転して２回目、又は６回目の露光を行った状態を示す説明図である。
【図１４】図１３で説明した露光後にゼネバ機構が作動する間でシャッタ円板が回転する状態を示す説明図である。
【図１５】ゼネバ機構が停止中にシャッタ円板が回転して３回目、又は７回目の露光を行った状態を示す説明図である。
【図１６】図１５で説明した露光後にゼネバ機構が作動する間でシャッタ円板が回転する状態を示す説明図である。
【図１７】ゼネバ機構が停止中にシャッタ円板が回転して４回目、又は８回目の露光を行った状態を示す説明図である。
【図１８】図１６で説明した露光後にゼネバ機構が作動する間でシャッタ円板が回転する状態を示す説明図である。
【図１９】シャッタ円板が１回転した後に切換え遮蔽板が切り換わる状態を示す説明図である。
【図２０】得られたプリント写真を示す正面図である。
【図２１】バネの付勢でアンクルをガンギ車に噛合させておき、全遮蔽板の全遮蔽位置への移動によってアンクルをバネの付勢に抗してガンギ車から離すようにした他の実施例を示す説明図である。
【符号の説明】
１８  撮影レンズ
４１ａ〜４１ｈ  絞り開口
４２〜４５  シャッタ円板
４２ａ，４３ａ，４４ａ，４５ａ  スリット
４６  ゼネバ機構
４７  ガバナ機構
４８  走行板
４９  切換え遮蔽板
５０  全遮蔽板
５０ｉ  係合板
６４  ガンギ車
６５  アンクル
６５ａ  レバー板
７０  スプロケット
【図１】
0003563856.tif 000002
【図２】
0003563856.tif 000003
【図３】
0003563856.tif 000004
【図４】
0003563856.tif 000005
【図５】
0003563856.tif 000006
【図６】
0003563856.tif 000007
【図７】
0003563856.tif 000008
【図８】
0003563856.tif 000009
【図９】
0003563856.tif 000010
【図１０】
0003563856.tif 000011
【図１１】
0003563856.tif 000012
【図１２】
0003563856.tif 000013
【図１３】
0003563856.tif 000014
【図１４】
0003563856.tif 000015
【図１５】
0003563856.tif 000016
【図１６】
0003563856.tif 000017
【図１７】
0003563856.tif 000018
【図１８】
0003563856.tif 000019
【図１９】
0003563856.tif 000020
【図２０】
0003563856.tif 000021
【図２１】
0003563856.tif 000022